(57)【要約】【課題】取付時やメンテナンス時の作業性および清掃性の向上を図ることができるサッシ体を提供する。【解決手段】建物開口部に沿って具備された既設枠体の内側に配置されるサッシ体であって、各辺を構成する４つの枠部材を組み合わせて形成される矩形状の枠本体を備えており、前記４つの枠部材のうち、少なくとも一つの枠部材は、他の二つの枠部材と連結するベース枠と、該ベース枠と略同一の長さを有し、前記既設枠体の内周面に向けて移動可能であり、前記既設枠体の内周面に対向する面が、該内周面に当接して押圧固定される押圧枠とを備えるサッシ体。【選択図】図１
2013113021.tif 000002
【特許請求の範囲】
【請求項１】
建物開口部に沿って具備された既設枠体の内側に配置されるサッシ体であって、
各辺を構成する４つの枠部材を組み合わせて形成される矩形状の枠本体を備えており、
前記４つの枠部材のうち、少なくとも一つの枠部材は、他の二つの枠部材と連結するベース枠と、該ベース枠と略同一の長さを有し、前記既設枠体の内周面に向けて移動可能であり、前記既設枠体の内周面に対向する面が、該内周面に当接して押圧固定される押圧枠とを備えるサッシ体。
【請求項２】
前記ベース枠に空回り可能に取り付けられると共に、先端部が前記押圧枠とネジ結合する調整ネジを備えており、前記調整ネジを回転させることにより、前記押圧枠を前記既設枠体の内周面に向けて移動させて該内周面に押圧固定される請求項１に記載のサッシ体。
【請求項３】
前記ベース枠は、互いに対向する一対の対向片およびこれら対向片を連結する連結片を有する断面略コ字状に形成されており、
前記押圧枠は、前記既設枠体の内周面に当接された状態で、前記一対の対向片及び前記連結片により囲まれるポケット部内に位置し、前記一対の対向片のいずれか一方に当接する側壁を備える請求項１又は２に記載のサッシ体。
【請求項４】
前記押圧枠は、互いに対向する一対の側壁およびこれら側壁を連結する連結壁を有する断面略コ字状に形成されており、
前記押圧枠の連結壁と、前記ベース枠の連結片とが互いに対向するようにして、前記押圧枠が、前記ベース枠の前記ポケット部に配置されている請求項３に記載のサッシ体。
【請求項５】
前記ベース枠及び前記押圧枠を備える枠部材に対して対向配置される他の枠部材は、前記枠本体内全面に張られるスクリーン体と、スクリーン体を巻取って収納する収納部と、スクリーン体の先端部を保持しスクリーン体を収納部から引き出し入れしてスクリーン体の開閉を行う可動框とを有するロール式スクリーン装置を備えている請求項１から４のいずれかに記載のサッシ体。
【発明の詳細な説明】
【技術分野】
【０００１】
本発明は、サッシ体に関する。特に、建物開口部に沿って具備された既設枠体の内側に配置されるサッシ体に関する。
【背景技術】
【０００２】
従来、図９に示すように、建物の壁１０１等に形成される開口部に沿って具備された既設枠体１０２の内側に配置されるサッシ体１０３が知られている。既設枠体１０２には、例えば、建物内から外に向かって押し出すように開放する押し出し窓（図示せず）が設けられており、既設枠体１０２の内側に配置されるサッシ体１０３には、例えば、ロール式網戸やロール式カーテンなど有するロール式スクリーン装置１０４が枠本体の内側に設置されている。
【０００３】
ここで、建物開口部に既設枠体１０２を設置する場合、押し出し窓等を有する既設枠体１０２を建物開口部に嵌め込み、ビス等の係着部材を用いて、既設枠体１０２の枠部材と建物開口部とを固定することにより行われる。
【０００４】
また、既設枠体１０２へのサッシ体１０３の取り付けは、建物開口部に既設枠体１０２を設置する段階では行われず、建物の建築工事や改修工事等が完了した後に行われる。これは、建築や改修等の工事中にサッシ体１０３を取り付けると、建築機材や工具がサッシ体１０３に当たってサッシ体１０３に損傷を与えるおそれがあり、更に、建築や改修等の工事中に発生する砂塵や木屑等がロール式スクリーン装置１０４内に侵入して該装置１０４が損傷するおそれがあるからである。なお、建物開口部への既設枠体１０２の設置は、建物の建築や改修等の工事に含まれることから建築施工業者により行われ、サッシ体１０３の設置は、内装工事に含まれることから内装施工業者により行われるという理由から、サッシ体１０３の既設枠体１０２への設置は、建物の建築や改修等の工事が完了した後に行われる。
【発明の概要】
【発明が解決しようとする課題】
【０００５】
従来のサッシ体を既設枠体に設置する場合、建物開口部と既設枠体とを接続固定している複数のビス等の係着部材を全て一端取り外した後、サッシ体を既設枠体の内側に嵌め込み、再度、取り外した係着部材を用いて、サッシ体、既設枠体及び建物開口部を接続固定するという工程が必要となり、サッシ体を既設枠体に設置することに多大な労力が必要でその作業性が悪いという問題があった。
【０００６】
また、このように建物開口部と既設枠体とを接続固定しているビス等の係着部材を利用してサッシ体を既設枠体に接続固定することから、サッシ体の枠体には、予め、既設枠体に形成されているビス穴に相当する位置にビス取付用の貫通孔を形成しているが、この貫通孔及び既設枠体のビス穴の径は小さいものであることから、サッシ体に形成される貫通孔の位置と、既設枠体に形成されているビス穴の位置とが僅かでもずれていると、サッシ体を既設枠体に設置することができないという問題があった。
【０００７】
更に、サッシ体のメンテナンスや清掃を行う場合に、その作業内容によっては、サッシ体を取り外さなければならない場合もあるが、この場合、サッシ体、既設枠体及び建物開口部を係着しているビス等の係着部材を全て取り外さなければならず、メンテナンスや清掃を行うのにも多大な労力が必要となり、その作業性が悪いという問題もあった。
【０００８】
また、既設枠体及び建物開口部を接続固定しているビス等の係着部材を取り外す際に、建物開口部における係着部材取付箇所が損傷したり、係着部材が損傷したりして、サッシ体を確実に設置することが困難になるおそれもあった。
【０００９】
本発明は、このような問題を解決するためになされたものであって、取付時やメンテナンス時の作業性および清掃性の向上を図ることができるサッシ体を提供することを目的とする。
【課題を解決するための手段】
【００１０】
本発明の前記目的は、建物開口部に沿って具備された既設枠体の内側に配置されるサッシ体であって、各辺を構成する４つの枠部材を組み合わせて形成される矩形状の枠本体を備えており、前記４つの枠部材のうち、少なくとも一つの枠部材は、他の二つの枠部材と連結するベース枠と、該ベース枠と略同一の長さを有し、前記既設枠体の内周面に向けて移動可能であり、前記既設枠体の内周面に対向する面が、該内周面に当接して押圧固定される押圧枠とを備えるサッシ体により達成される。
【００１１】
このような構成を備えることにより、従来のサッシ体のように、建物開口部と既設枠体とを接続固定している複数のビス等の係着部材を全て一端取り外した後、サッシ体を既設枠体の内側に嵌め込み、再度、取り外した係着部材を用いて、サッシ体、既設枠体及び建物開口部を接続固定するという作業を必要とせず、単に、押圧枠を既設枠体の内周面に向けて移動させて、この内周面に押圧枠を当接させて押圧するだけで、サッシ体を既設枠体に設置することができ、
簡単に、既設枠体にサッシ体を取り付けることができる。また、押圧枠をベース枠側に移動させることにより、押圧枠と既設枠体の内周面との間の押圧固定が解除されるため、サッシ体を極めて簡便に取り外すことができ、サッシ体のメンテナンスの作業性や清掃性を向上させることができる。
【００１２】
また、上記サッシ体において、前記ベース枠に空回り可能に取り付けられると共に、先端部が前記押圧枠とネジ結合する調整ネジを備えており、前記調整ネジを回転させることにより、前記押圧枠を前記既設枠体の内周面に向けて移動させて該内周面に押圧固定されることが好ましい。
【００１３】
このような構成を備えることにより、調整ネジを回転させるという簡便な方法により、押圧枠を既設枠体の内周面に向けて移動（或いは、ベース部材側に向けて移動）させることができ、サッシ体の既設枠体への取り付け作業や、メンテナンス作業、清掃作業の作業効率を向上させることができる。
【００１４】
また、前記ベース枠は、互いに対向する一対の対向片およびこれら対向片を連結する連結片を有する断面略コ字状に形成されており、前記押圧枠は、前記既設枠体の内周面に当接された状態で、前記一対の対向片及び前記連結片により囲まれるポケット部内に位置し、前記一対の対向片のいずれか一方に当接する側壁を備えることが好ましい。
【００１５】
このような構成によれば、既設枠体の内周面を押圧固定することが可能な枠部材をコンパクトに形成することができると共に、サッシ体を既設枠体に固定した場合に、押圧枠の側壁とベース枠との間に隙間が形成されないため、屋外の雨や空気、埃等が室内に侵入することを効果的に防止することができる。
【００１６】
また、前記押圧枠は、互いに対向する一対の側壁およびこれら側壁を連結する連結壁を有する断面略コ字状に形成されており、前記押圧枠の連結壁と、前記ベース枠の連結片とが互いに対向するようにして、前記押圧枠が、前記ベース枠の前記ポケット部に配置されていることが好ましい。このような構成によれば、既設枠体の内周面を押圧固定することが可能な枠部材の軽量化・コンパクト化を図ることが可能となる。
【００１７】
また、前記ベース枠及び前記押圧枠を備える枠部材に対して対向配置される他の枠部材は、前記枠本体内全面に張られるスクリーン体と、スクリーン体を巻取って収納する収納部と、スクリーン体の先端部を保持しスクリーン体を収納部から引き出し入れしてスクリーン体の開閉を行う可動框とを有するロール式スクリーン装置を備えていることが好ましい。
【発明の効果】
【００１８】
本発明によれば、取付時やメンテナンス時の作業性および清掃性の向上を図ることができるサッシ体を提供することができる。
【図面の簡単な説明】
【００１９】
【図１】本発明の一実施形態に係るサッシ体を既設枠体に設置した状態を示す説明図である。
【図２】図１のＡ−Ａ断面図である。
【図３】図２のＢ−Ｂ断面図である。
【図４】本発明の一実施形態に係るサッシ体を示す平面図である。
【図５】図１に示すサッシ体を既設枠体に設置する方法を説明するための説明図である。
【図６】図１に示すサッシ体を既設枠体に設置する方法を説明するための説明図である。
【図７】図１に示すサッシ体の変形例を示す断面図（図１のＡ−Ａ線に相当する位置での断面図）である。
【図８】図１に示すサッシ体のその他の変形例を示す断面図（図１のＡ−Ａ線に相当する位置での断面図）である。
【図９】従来のサッシ体を既設枠体に設置した状態を示す説明図である。
【発明を実施するための形態】
【００２０】
以下、本発明の実施形態について添付図面を参照して説明する。図１は、本発明の一実施形態にかかるサッシ体１を既設枠体１０２に設置した状態を示す説明図である。図２は、そのＡ−Ａ断面図であり、図３は、図２のＢ−Ｂ断面図である。
【００２１】
サッシ体１は、建物の壁等に形成される開口部に沿って具備された既設枠体１０２の内側に配置されて設置されるものである。既設枠体１０２には、例えば、建物内から外に向かって押し出すように開放する押し出し窓（図示せず）が設けられており、この押し出し窓に対して屋内側となる既設枠体１０２内側の所定個所にサッシ体１は設置固定される。
【００２２】
サッシ体１は、既設枠体１０２の内面と当接する枠本体２を備えている。この枠本体２は、矩形状に形成されており、各辺を構成する４つの長尺状の枠部材２１を組み合わせて形成されている。４つの枠部材２１のそれぞれは、左縦枠２１ａ、上横枠２１ｂ、右縦枠２１ｃ及び下横枠２１ｄを構成している。なお、各枠部材２１は、例えばアルミ押出形材により形成されている。
【００２３】
４つの枠部材２１のうちの少なくとも一つは、ベース枠２２と押圧枠２３とを備えている。図１に示すサッシ体１においては、右縦枠２１ｃが、ベース枠２２と押圧枠２３とを備えるように構成している。ベース枠２２は、その各端部において、他の二つの枠部材２１（上横枠２１ｂ及び下横枠２１ｄ）と連結するように構成されている。このベース枠２２は、図２の断面図に示すように、互いに対向する一対の対向片２５およびこれら対向片２５を連結する連結片２６を有する断面略コ字状に形成されている。一対の対向片２５及び前記連結片２６により囲まれる領域は、押圧枠２３の一部を内部に収納するポケット部２７を構成している。
【００２４】
押圧枠２３は、ベース枠２２と略同一の長さを有し、図２の断面図に示すように、互いに対向する一対の側壁２８およびこれら側壁２８を連結する連結壁２９を有する断面略コ字状に形成されている。この押圧枠２３は、その連結壁２９と、ベース枠２２の連結片２６とが互いに対向するようにして、一対の側壁２８がベース枠２２におけるポケット部２７内に配置されているように構成されている。また、本実施形態においては、ベース枠２２における各対向片２５の幅（図２における左右方向の寸法）と、押圧枠２３における各側壁２８の幅（図２における左右方向の寸法）とが略同寸法となるように構成されている。また、ベース枠２２における連結片２６の幅（図２における上下方向の寸法）と、押圧枠２３における連結壁２９の幅（図２における上下方向の寸法）とが略同寸法となるように構成されている。ここで、ベース枠２２におけるポケット部２７内に配置される押圧枠２３の一対の側壁２８のうち少なくともいずれか一方は、押圧枠２３が既設枠体１０２の内周面に当接された状態で、一対の対向片２５及び連結片２６により囲まれるベース枠２２のポケット部２７内に位置すると共に、当該ポケット部２７内において対向配置される対向片２５と当接するように構成されている。
【００２５】
また、押圧枠２３は、既設枠体１０２の内周面に向けて移動可能であり、既設枠体１０２の内周面に対向する面（連結壁２９の外側面）が、該内周面に当接して押圧固定されるように構成されている。
【００２６】
具体的に説明すると、図２及び図３の断面図に示すように、ベース枠２２がその連結片２６に設置される保持部材３１を備え、押圧枠２３がその連結壁２９に設置される係合部材３２を備えるように構成すると共に、保持部材３１と係合部材３２とを調整ネジ３３にて連結するように構成されている。なお、保持部材３１と係合部材３２とは、それぞれ連結片２６及び連結壁２９の対向面上に設置されている。また、調整ネジ３３は、工具ドライバー等の先端部が係合する頭部３３ａと、ネジ部が形成される軸部３３ｂとを備えている。
【００２７】
保持部材３１は、略コ字形の基部３１ａと、この基部３１ａから外方へ折り曲げられ、ベース枠２２の連結片２６に接続される一対の接続部３１ｂとを備えており、全体としては弓型となるように形成されている。係合部材３２も保持部材３１と同様な構造を有しており、略コ字形の基部３２ａと、この基部３２ａから外方へ折り曲げられ、押圧枠２３の連結壁２９に接続される一対の接続部３２ｂとを備えており、全体としては弓型となるように形成されている。
【００２８】
保持部材３１における基部３１ａの略中央部には、調整ネジ３３の軸部３３ｂが挿通可能でかつ空回り可能な貫通孔３１ｃが形成されている。この貫通孔３１ｃの直径は、調整ネジ３３の頭部３３ａの径よりも小さくなるように形成されている。また、係合部材３２における基部３２ａの略中央部には、調整ネジ３３の軸部３３ｂが螺合されるネジ孔３２ｃが形成されている。調整ネジ３３は、図３に示すように、その頭部３３ａが、ベース枠２２における連結片２６と保持部材３１における基部３１ａとの間に形成される空間内に設置されるようにして配置される。この調整ネジ３３の頭部３３ａが配置される位置に対応するベース枠２２の連結片２６の所定個所には、調整ネジ３３を操作するための貫通孔２６ａ（調整ネジ操作窓２６ａ）が形成されている。このような構成を備えることにより、調整ネジ３３を回転（右回転或いは左回転）させることによって、押圧枠２３をベース枠２２に対して進退自在に移動させることができる。
【００２９】
また、サッシ体１は、図４に示すように、ロール式スクリーン装置４を備えている。ロール式スクリーン装置４は、枠本体２の内側全面に張られるスクリーン体４１と、スクリーン体４１を巻取って収納する収納部４２と、スクリーン体４１の先端部を保持しスクリーン体４１を収納部４２から引き出し入れしてスクリーン体４１の開閉を行う可動框４３とを備えている。ロール式スクリーン装置４は、ベース枠２２及び押圧枠２３を備える枠部材２１（右縦枠２１ｃ）に対して対向配置される他の枠部材２１（左縦枠２１ａ）に取り付けられている。なお、ロール式スクリーン装置４自体を左縦枠２１ａとしてサッシ体１を構成してもよい。
【００３０】
ここで、スクリーン体４１としては、種々のものを採用することができる。例えば、ロール式スクリーン装置４を蚊や蠅等の虫が屋内に侵入することを防止する網戸として用いる場合には、網体をスクリーン体４１として使用することができ、直射日光が屋内にあたることを防止するカーテンとして用いる場合には、例えば遮光性の布体をスクリーン体４１として使用することができる。或いは、障子や襖に使用されるようなシート状の紙体をスクリーン体４１として使用してもよい。また、ロール式スクリーン装置４が有する収納部４２の内部には、スクリーン体４１を巻取る巻取軸が回転自在に設けられると共に、スクリーン体４１を巻取る方向に巻取軸を付勢するバネ等の付勢手段が設けられている。また、ロール式スクリーン装置４が設置される枠部材２１（左縦枠２１ａ）に連結する二つの枠部材２１（上横枠２１ｂ及び下横枠２１ｄ）の対向面には、可動框４３の両端部を摺動自在に案内する案内溝（図示せず）が形成されている。この案内溝に沿って可動框４３を収納部４２側から引き出すことによりスムーズにサッシ体１の枠本体２内側をスクリーン体４１で覆うことができる。なお、可動框４３及びベース枠２２には、互いに係着する係着部材が設置されており、かかる係着部材によって可動框４３をベース枠２２に固定することができ、サッシ体１の枠本体の内側全面にスクリーン体４１を張られた状態に維持することができる。
【００３１】
以上の構成を備えたサッシ体１を既設枠体１０２に取り付ける方法について以下に説明する。まず、調整ネジ３３を回転させて、ベース枠２２と押圧枠２３とが最も近接する状態となるようにした後（図５に示す状態）、既設枠体１０２の内側の所定位置にサッシ体１を仮置きする。このとき、ベース枠２２及び押圧枠２３を有する枠部材２１に対向配置される枠部材２１を既設枠体１０２の内周面に当接させるようにし、ベース枠２２及び押圧枠２３を有する枠部材２１とこの枠部材２１に対向配置される既設枠体１０２の内周面との間に隙間が形成されるようにサッシ体１を仮置きすることが好ましい。
【００３２】
その後、ベース枠２２に形成される調整ネジ３３操作窓を介して、枠本体２の内側から工具ドライバーＺの先端を調整ネジ３３の頭部３３ａに係合させて、当該工具ドライバーＺを回動操作して調整ネジ３３を回転させる。調整ネジ３３として通常のネジを採用する場合には、調整ネジ３３を左回転させることにより、押圧枠２３は、ベース枠２２から離れる方向（既設枠体１０２の内周面に向かう方向）に向けて移動することとなる。この調整ネジ３３の回転を進めることにより、押圧枠２３は、既設枠体１０２の内周面に当接することとなるが、更に調整ネジ３３の回転を進めることにより、押圧枠２３は、既設枠体１０２の内周面を押圧することとなり、サッシ体１は、既設枠体１０２の内側に固定される（図６に示す状態）。ここで、必要以上に調整ネジ３３を回転させた場合、多大な負荷が押圧枠２３及びベース枠２２に発生し、ベース枠２２や押圧枠２３が変形してしまうことが懸念されるが、調整ネジ３３は、弓型の保持部材３１や係合部材３２に連結しているため、これら保持部材３１や係合部材３２が撓むことにより過度の負荷を吸収することとなるため、ベース枠２２や押圧枠２３の変形を防止することが可能となる。
【００３３】
また、サッシ体１を既設枠体１０２から取り外す場合には、調整ネジ３３を右回転させることにより、押圧枠２３をベース枠２２側に移動させる。これにより、既設枠体１０２の内周面に対する押圧枠２３の押圧状態が解除されることとなり、サッシ体１を既設枠体１０２から容易に取り外すことが可能となる。
【００３４】
本実施形態に係るサッシ体１は、枠本体２を構成する枠部材２１が、既設枠体１０２の内周面に向けて移動可能な押圧枠２３を備えるように構成し、当該押圧枠２３を、既設枠体１０２の内周面に当接させて押圧固定することにより、サッシ体１を既設枠体１０２に設置できるように構成されているため、従来のサッシ体１のように、建物開口部と既設枠体１０２とを接続固定している複数のビス等の係着部材を全て一端取り外した後、サッシ体１を既設枠体１０２の内側に嵌め込み、再度、取り外した係着部材を用いて、サッシ体１、既設枠体１０２及び建物開口部を接続固定するという作業を必要とせず、極めて簡便にサッシ体１を既設枠体１０２に設置することができる。また、押圧枠２３をベース枠２２側に移動させることにより、押圧枠２３と既設枠体１０２の内周面との間の押圧固定を解除できるため、サッシ体１を極めて簡便に取り外すことができ、サッシ体１のメンテナンスの作業性や清掃性を向上させることができる。
【００３５】
また、本実施形態に係るサッシ体１は、ベース枠２２に空回り可能に取り付けられると共に、先端部が押圧枠２３とネジ結合する調整ネジ３３を備えており、調整ネジ３３を回転させることにより、押圧枠２３を既設枠体１０２の内周面に向けて移動させて該内周面に押圧固定できるように構成されているため、調整ネジ３３を回転させるという簡便な方法により、押圧枠２３を既設枠体１０２の内周面に向けて移動（或いは、ベース部材側に向けて移動）させることができ、サッシ体１の既設枠体１０２への取り付け作業や、メンテナンス作業、清掃作業の作業効率を向上させることができる。
【００３６】
また、ベース枠２２は、互いに対向する一対の対向片２５およびこれら対向片２５を連結する連結片２６を有する断面略コ字状に形成されており、押圧枠２３は、既設枠体１０２の内周面に当接された状態で、一対の対向片２５及び連結片２６により囲まれるポケット部２７内に位置し、一対の対向片２５のいずれか一方に当接する側壁２８を備えるように構成しているため、既設枠体１０２の内周面を押圧固定することが可能な枠部材２１をコンパクトに形成することができると共に、サッシ体１を既設枠体１０２に固定した場合に、押圧枠２３の側壁２８とベース枠２２との間に隙間が形成されないため、サッシ体１の気密性が確保され、屋外の雨や空気、無視、埃等が室内に侵入することを効果的に防止することができる。
【００３７】
特に、本実施形態においては、押圧枠２３は、互いに対向する一対の側壁２８およびこれら側壁２８を連結する連結壁２９を有する断面略コ字状に形成されており、押圧枠２３の連結壁２９と、ベース枠２２の連結片２６とが互いに対向するようにして、押圧枠２３が、ベース枠２２のポケット部２７に配置される構造を有しているため、既設枠体１０２の内周面を押圧固定することが可能な枠部材２１の軽量化・コンパクト化を図ることも可能となる。
【００３８】
以上、本発明の一実施形態に係るサッシ体１について説明したが、サッシ体１の具体的構成は、上記実施形態に限定されない。例えば、上記実施形態においては、図２の断面図に示すように、互いに対向する一対の側壁２８およびこれら側壁２８を連結する連結壁２９を有する断面略コ字状に形成されているが、このような構成に特に限定されず、図７に示すように、断面視矩形状となるように構成してもよい。
【００３９】
また、調整ネジ３３の具体的構成として、頭部３３ａが、工具ドライバーの先端部と係合するようなネジについて説明したが、特にこのような構成に限定されず、例えば、六角レンチと係合する頭部３３ａを有するネジにより調整ネジ３３を構成してもよい。
【００４０】
また、上記実施形態においては、右縦枠２１ｃのみがベース枠２２と押圧枠２３とを備えるようにサッシ体１を構成しているが、例えば、右縦枠２１ｃの他に上横枠２１ｂもベース枠２２と押圧枠２３とを備えるように構成し、右縦枠２１ｃ及び上横枠２１ｂの双方をそれぞれ既設枠体１０２の内周面に向けて移動させて、該内周面に押圧固定できるように構成してもよい。
【００４１】
また、上記実施形態においては、押圧枠２３が、その連結壁２９に設置される係合部材３２を備えるように構成し、この係合部材３２におけるネジ孔と調整ネジ３３の軸部３３ｂとが螺号するように構成しているが、調整ネジ３３の回転により押圧枠２３がベース枠２２に対して進退可能に構成される限りにおいては、このような構成に特に限定されない。例えば、図８に示すように、断面視略矩形状の中空部材により押圧枠２３を構成すると共に、調整ネジ３３と螺号するネジ孔をこの押圧枠２３の所定個所に形成するように構成してもよい。
【符号の説明】
【００４２】
１  サッシ体
２  枠本体
２１  枠部材
２１ａ  左縦枠
２１ｂ  上横枠
２１ｃ  右縦枠
２１ｄ  下横枠
２２  ベース枠
２３  押圧枠
２５  対向片
２６  連結片
２６ａ  調整ネジ操作窓（貫通孔）
２７  ポケット部
２８  側壁
２９  連結壁
３１  保持部材
３１ａ  基部
３１ｂ  接続部
３１ｃ  貫通孔
３２  係合部材
３２ａ  基部
３２ｂ  接続部
３２ｃ  ボルト孔
３３  調整ネジ
３３ａ  頭部
３３ｂ  軸部
【図１】
2013113021.tif 000003
【図２】
2013113021.tif 000004
【図３】
2013113021.tif 000005
【図４】
2013113021.tif 000006
【図５】
2013113021.tif 000007
【図６】
2013113021.tif 000008
【図７】
2013113021.tif 000009
【図８】
2013113021.tif 000010
【図９】
2013113021.tif 000011